(57)【要約】【課題】本発明は、粘度の高い液体を高い圧力にて注入するときにも、破損しにくいシリンジ外筒を提供することを目的とする。【解決手段】シリンジ外筒の鍔の後面に、同心円状補強部と放射状補強部とを有する補強リブを設けたり、鍔を二重したり、鍔の前面の付け根部分に肉厚部を設けたり、鍔の前面にテーパ状補強部を設けることによりシリンジ外筒の破損を防止できる。【選択図】図１
2010162426.tif 000002
【特許請求の範囲】
【請求項１】
鍔の後面に、同心円状補強部と放射状補強部とを有する補強リブが設けられたシリンジ外筒。
【請求項２】
二重の鍔を有するシリンジ外筒。
【請求項３】
鍔の前面の付け根部分に肉厚部が設けられたシリンジ外筒。
【請求項４】
鍔の前面に、テーパ状補強部が設けられたシリンジ外筒。
【請求項５】
請求項１〜４のいずれかに記載のシリンジ外筒を用いたシリンジに薬液が充填されたプレフィルドシリンジ。
【請求項６】
前記薬液が造影剤である請求項５記載のプレフィルドシリンジ。
【発明の詳細な説明】
【技術分野】
【０００１】
本発明は、自動注入器等の駆動機構を用いて高い注入圧力で注入を行うのに適したシリンジに関する。
【背景技術】
【０００２】
医療用を初めとする多様な分野において、液体の注入等にシリンジが用いられている。造影剤のような粘度の高い薬液の注入には、高い圧力を要し、人手で操作するのが困難であったり、非常に手間が掛かったりする。そこで自動注入装置等の機械的なシリンジ駆動機構を用いて注入することが一般的である。図５は、自動注入装置にシリンジを装着した様子を示したものであり、モーターおよび制御機構等を備えた自動注入装置本体１に取り付けられたシリンダホルダ４にシリンジ外筒３を装着して固定し、シリンジピストンを保持するピストンホルダ２を前進または後退させて、液体の注入（液体のシリンジからの排出）または吸引を行う。シリンジ外筒の保持には、鍔をシリンダホルダの溝にはめ込んで固定している。
【０００３】
図５の自動注入装置では、ピストン駆動機構と演算機構（ディスプレイ、キーボード等を含む）が一体化されているが、ピストン駆動機構と演算機構とを別筐体とした自動注入装置も知られている。図８は、そのような自動注入装置のピストン駆動機構を含む別筐体部分の一例を示す図である。この装置では、シリンジのサイズが小さいときは、取り外し可能なアダプタ４ａ（シリンダホルダ）に、シリンジ外筒３を装着し、さらに自動注入装置１ｂに装着する。図９に、シリンジが自動注入装置に装着された様子を示す。
【０００４】
図１０（（ａ）上面図、（ｂ）後ろから見た側面図、（ｃ）（ｂ）のＸ−Ｘ’断面図）は、このアダプタ４ａの拡大図である。この図に示すように、アダプタは溝５を有しており、この溝５にシリンジ外筒の鍔９をはめ込むことによりシリンジ外筒を保持する。
【０００５】
また、シリンジのサイズがちょうど合うときは、図１１に示すようにシリンジ外筒３を直接自動注入装置に装着し、クランプ機構４ｂ（シリンダホルダ）によりシリンジ外筒を固定する。図１２に、シリンジが自動注入装置に装着された様子を示す。尚、クランプ機構４ｂも溝を有しており、その溝にシリンジ外筒の鍔９をはめ込んでシリンジ外筒を保持する。
【０００６】
以上のように、いずれの場合もシリンジ外筒を保持するには、鍔をシリンダホルダ等の溝にはめ込んで固定するのが簡便である。
【０００７】
しかし、注入・吸引の際の力が鍔に集中するため、特にその付け根部分から破損する場合があった。
【発明の概要】
【発明が解決しようとする課題】
【０００８】
そこで本発明は、粘度の高い液体を高い圧力にて注入するときにも、破損しにくいシリンジ外筒を提供することを目的とする。
【課題を解決するための手段】
【０００９】
本発明は、鍔の後面に、同心円状補強部と放射状補強部とを有する補強リブが設けられたシリンジ外筒に関する。
【００１０】
本発明の異なる態様は、二重の鍔を有するシリンジ外筒に関する。
【００１１】
さらに本発明の異なる態様は、鍔の前面の付け根部分に肉厚部が設けられたシリンジ外筒に関する。
【００１２】
さらに本発明の異なる態様は、鍔の前面に、テーパ状補強部が設けられたシリンジ外筒に関する。
【００１３】
本発明者は、シリンジの破損の問題を鋭意検討した結果、鍔に上述のような補強構造を設けることにより、強度が向上し、鍔に圧力が集中しても容易に破損しないことを見出したものである。
【発明の効果】
【００１４】
本発明によれば、粘度の高い液体を高い圧力にて注入するときにも、破損しにくいシリンジ外筒を提供することができる。
【図面の簡単な説明】
【００１５】
【図１】本発明のシリンジ外筒の１例を示す図である。（ａ）側面図（後方から見た図）、（ｂ）側面図（横から見た図）
【図２】本発明のシリンジ外筒の１例を示す図である。（ａ）側面図（後方から見た図）、（ｂ）側面図（横から見た図）
【図３】本発明のシリンジ外筒の１例を示す図である。（ａ）側面図（後方から見た図）、（ｂ）側面図（横から見た図）
【図４】本発明のシリンジ外筒の１例を示す図である。（ａ）側面図（後方から見た図）、（ｂ）側面図（横から見た図）
【図５】自動注入装置の１例を示す図である。
【図６】一般的なシリンジ外筒を示す図である。
【図７】補強リブの異なる１例を示す図である。
【図８】自動注入装置にシリンジを装着する様子を示す図である。
【図９】自動注入装置にシリンジを装着した状態を示す図である。
【図１０】シリンジ外筒を保持するアダプタ（シリンダホルダ）を示す拡大図である。
【図１１】自動注入装置にシリンジを装着する様子を示す図である。
【図１２】自動注入装置にシリンジを装着した状態を示す図である。
【図１３】溝によってシリンジ外筒（鍔に形状ゆがみあり）を保持している様子を模式的に示す図である。
【図１４】溝によってシリンジ外筒（鍔の後面に補強リブを設けたもの）を保持している様子を模式的に示す図である。
【発明を実施するための形態】
【００１６】
図１は、鍔の後面に補強リブを設けたシリンジ外筒の１例であり、図１（ａ）はシリンジ外筒を後側から見た側面図であり、図１（ｂ）は鍔部付近のシリンジ外筒を横から見た側面図である。尚、シリンジの外筒の前・後は、図６に定義するとおり、シリンジ先端側を前方とする。補強リブ１０は、同心円状補強部１１と放射状補強部１２とを有している。同心円状補強部１１は、この図の例では、内周面がシリンジ外筒の内壁の一部をなし、厚さｄはシリンジ外筒の肉厚Ｄとほぼ等しい厚さとなっている。厚さｄは、例えばシリンジ外筒の肉厚Ｄの０．５〜３倍程度、好ましくは０．５〜２倍程度、さらに好ましくは０．７〜１．５倍程度にしてもよい。また、同心円状補強部１１の高さｈ１は、必要な補強強度により適宜設定することができるが、例えば鍔９の厚さＨの０．２〜３倍、好ましくは０．４〜２倍程度に設定することができる。
【００１７】
また、放射状補強部１２については、この図の例では長さｐ１が鍔９の幅Ｌの１／２程度で設けているが、鍔の幅Ｌの１／４〜１／１、好ましくは１／４〜２／３の範囲から適宜選ぶことができる。放射状補強部１２の幅および数についても、必要な強度を考慮して適宜設定することができる。また、この図に示すように、外側に向けて高さが低くなっているテーパ形状にすると、引っかかり等が起こりにくいのでハンドリング上は好ましいが、テーパになっていなくとも補強の観点からは問題はない。
【００１８】
図７に、補強リブの異なる例を示す。この例では、図１と同様な放射状補強部１２の一部が、位置合わせ等の他の理由により２重のリブ１３となっている。すべての放射状補強部をこのように２重にしても構わないし、特に力が加わりやすい部位の放射状補強部の数を増やしたり、幅を厚くしてもよい。
【００１９】
図２は、二重の鍔を有するシリンジ外筒の１例であり、図２（ａ）はシリンジ外筒を後側から見た側面図であり、図２（ｂ）は鍔部付近のシリンジ外筒を横から見た側面図である。
【００２０】
二重鍔は、鍔２０ａと鍔２０ｂの２つからなり、その間に補強リブ２１が設けられている。この図の例では、補強リブ２１の構造は同心円状部分と放射状部分とからなっており、放射状部分がテーパになっていないこと以外は、図１で示した例の補強リブと同様の構造とすることができる。但し、この形態における補強リブは、二重鍔間を接続して補強する構造であればよいので、このような例の構造に限られるものではない。
【００２１】
図３は、鍔の前面の付け根部分に肉厚部を設けたシリンジ外筒の１例であり、図３（ａ）はシリンジ外筒を後側から見た側面図であり、図３（ｂ）は鍔部付近のシリンジ外筒を横から見た側面図である。
【００２２】
付け根部分の肉厚部３１は、鍔３０の付け根に同心円状に設けられている。肉厚部の放射方向長さｐ３は、この例では鍔３０の幅Ｌの１／２程度で設けられているが、例えば鍔の幅Ｌの１／４〜３／４、好ましくは１／４〜２／３の範囲から適宜選ぶことができる。また、肉厚部３１の厚さｈ３は、必要な補強強度により適宜設定することができるが、例えば鍔３０の厚さＨの０．２〜２倍程度、好ましくは０．３〜１．０倍程度、さらに好ましくは０．３〜０．８倍程度に設定することができる。また、肉厚部の角は、この図の例のようにカットしてあることが好ましい。
【００２３】
図４は、鍔の前面に、テーパ状補強部が設けられたシリンジ外筒の１例であり、図４（ａ）はシリンジ外筒を後側から見た側面図であり、図４（ｂ）は鍔部付近のシリンジ外筒を横から見た側面図（但し、左半分は断面図）である。
【００２４】
この例では、鍔４０の前面部分がテーパ状補強部４１になっており、テーパの端と鍔の端が一致している。この例では位置あわせ、その他の理由により、部分的にテーパが形成されていない切り欠き部４２が設けられているが、本発明の本質的部分ではない。また、テーパ状補強部４１の高さｈ４は、必要な補強強度により適宜設定することができるが、例えば鍔４０の厚さＨの０．２〜２倍程度、好ましくは０．３〜１．０倍程度、さらに好ましくは０．３〜０．８倍程度に設定することができる。
【００２５】
以上の例で示したシリンジ外筒の材料としては、通常流通しているものが用いられ、鍔の強度の点から、例えばポリプロピレン樹脂等の樹脂製のものが好ましく、射出成型法等の公知の方法により容易に製造することができる。
【００２６】
本発明の構造と、鍔の厚さを単に厚くした構造とを比較すると、鍔の厚さを単に厚くするだけでは、射出成型のときの内部歪みが残留したり、形状的なゆがみが生じやすい。内部歪みが残っている場合は、厚さに見合うだけの強度が発現されない。また、形状的なゆがみが生じると、図１３に模式的に示すように、シリンジピストンを押したときに、鍔の位置が安定せずに位置ズレが生じ、鍔の一部にのみ圧力が集中し破損しやすい状況が生じる。これに対して本発明における各補強構造は、従来の鍔の厚さやシリンジ外筒の肉厚の厚さと同等程度の厚さで構成できるので、その場合歪みの残留もなく十分な強度が得られ、また形状的にも安定する。
【００２７】
本発明のシリンジ外筒をシリンジホルダ等の溝で保持する様式としては、その形状により適宜選択することができる。例えば、補強部材が図１に示したような補強リブである場合、特に放射状補強部（テーパ状でなくても良い）が周辺部まで設けられている場合には、補強部材もいっしょに溝で固定することができる。図１４は、溝による保持の様子を模式的に示したものである。このような補強リブは厚い鍔に比べて形状的な精度も向上していることに加えて、この図のように、溝の後面に比較的に小さな面積にて接触するので、密着性がより向上し正しい位置で装着可能である。これに対して、単に厚さを厚くした鍔の場合は、後側の平面のゆがみも大きくがたつき大きい。
【００２８】
本発明のシリンジ外筒は、通常のピストンと組み合わせて、多様な分野において液体の注入等の用途に用いることができるが、例えば医療用の薬液の注入用として用いるのが好ましく、特に、注入に高い圧力を要する造影剤のような粘度が高い薬液の注入用に用いることが好ましい。
【００２９】
また、本発明のシリンジ外筒を、造影剤等の薬液が予め充填されたプレフィルドシリンジに用いることも好ましい。
【符号の説明】
【００３０】
１  自動注入装置本体
１ｂ  自動注入装置
２  ピストンホルダ
３  シリンジ外筒
４  シリンダホルダ
４ａ  アダプタ（シリンダホルダ）
４ｂ  クランプ機構（シリンダホルダ）
５  溝
９  鍔
１０  補強リブ
１１  同心円状補強部
１２  放射状補強部
１３  ２重のリブ
２０ａ、２０ｂ  二重の鍔
２１  補強リブ
３０  鍔
３１  肉厚部
４０  鍔
４１  テーパ状補強部
【図１】
2010162426.tif 000003
【図２】
2010162426.tif 000004
【図３】
2010162426.tif 000005
【図４】
2010162426.tif 000006
【図５】
2010162426.tif 000007
【図６】
2010162426.tif 000008
【図７】
2010162426.tif 000009
【図８】
2010162426.tif 000010
【図９】
2010162426.tif 000011
【図１０】
2010162426.tif 000012
【図１１】
2010162426.tif 000013
【図１２】
2010162426.tif 000014
【図１３】
2010162426.tif 000015
【図１４】
2010162426.tif 000016
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
シリンジ外筒とこのシリンジ外筒の内部にスライド自在に挿入されるシリンジピストンを有するシリンジと、
前記シリンジが装着される自動注入器であって、前記シリンジ外筒を保持するために、前記シリンジ外筒の鍔を挿入する溝を備えたシリンダホルダを有する自動注入器と、
を備える薬液注入システムであって、
前記シリンジの外筒は、鍔、および鍔の後面に設けられ同心円状補強部と放射状補強部とを有する補強リブを有し、前記鍔および前記補強リブが一緒に前記シリンダホルダの溝にはめ込まれて固定されること
を特徴とする薬液注入システム。
【請求項２】
前記放射状補強部は、前記同心円状補強部の周囲に設けられていることを特徴とする請求項１記載の薬液注入システム。
【請求項３】
前記放射状補強部は、外側に向けて高さが低くなるテーパ形状を有することを特徴とする請求項１または２記載の薬液注入システム。
【請求項４】
シリンジ外筒とこのシリンジ外筒の内部にスライド自在に挿入されるシリンジピストンを有するシリンジと、
前記シリンジが装着される自動注入器であって、前記シリンジ外筒を保持するために、前記シリンジ外筒の鍔を挿入する溝を備えたシリンダホルダを有する自動注入器と、
を備える薬液注入システムであって、
前記シリンジの外筒は、第１の鍔、第２の鍔および前記第１の鍔と前記第２の鍔の間に設けられた補強リブを有する二重鍔を有すること
を特徴とする薬液注入システム。
【請求項５】
前記補強リブが、同心円状部分と放射状部分からなることを特徴とする請求項４記載の薬液注入システム。
【請求項６】
前記二重鍔が前記シリンダホルダの溝にはめ込まれて固定されることを特徴とする請求項４または５記載の薬液注入システム。
【請求項７】
造影剤の注入に使用されることを特徴とする請求項１〜６のいずれかに記載の薬液注入システム。
【請求項８】
前記シリンジが、薬液が充填されたプレフィルドシリンジであることを特徴とする請求項１〜６のいずれかに記載の薬液注入システム。
【請求項９】
前記薬液が造影剤であることを特徴とする請求項８記載の薬液注入システム。
【手続補正３】
【補正対象書類名】明細書
【補正対象項目名】０００９
【補正方法】変更
【補正の内容】
【０００９】
本発明は、以下の事項に関する。
１．  シリンジ外筒とこのシリンジ外筒の内部にスライド自在に挿入されるシリンジピストンを有するシリンジと、
前記シリンジが装着される自動注入器であって、前記シリンジ外筒を保持するために、前記シリンジ外筒の鍔を挿入する溝を備えたシリンダホルダを有する自動注入器と、
を備える薬液注入システムであって、
前記シリンジの外筒は、鍔、および鍔の後面に設けられ同心円状補強部と放射状補強部とを有する補強リブを有し、前記鍔および前記補強リブが一緒に前記シリンダホルダの溝にはめ込まれて固定されること
を特徴とする薬液注入システム。
２．  前記放射状補強部は、前記同心円状補強部の周囲に設けられていることを特徴とする上記１記載の薬液注入システム。
３．  前記放射状補強部は、外側に向けて高さが低くなるテーパ形状を有することを特徴とする上記１または２記載の薬液注入システム。
４．  シリンジ外筒とこのシリンジ外筒の内部にスライド自在に挿入されるシリンジピストンを有するシリンジと、
前記シリンジが装着される自動注入器であって、前記シリンジ外筒を保持するために、前記シリンジ外筒の鍔を挿入する溝を備えたシリンダホルダを有する自動注入器と、
を備える薬液注入システムであって、
前記シリンジの外筒は、第１の鍔、第２の鍔および前記第１の鍔と前記第２の鍔の間に設けられた補強リブを有する二重鍔を有すること
を特徴とする薬液注入システム。
５．  前記補強リブが、同心円状部分と放射状部分からなることを特徴とする上記４記載の薬液注入システム。
６．  前記二重鍔が前記シリンダホルダの溝にはめ込まれて固定されることを特徴とする上記４または５記載の薬液注入システム。
７．  造影剤の注入に使用されることを特徴とする上記１〜６のいずれかに記載の薬液注入システム。
８．  前記シリンジが、薬液が充填されたプレフィルドシリンジであることを特徴とする上記１〜６のいずれかに記載の薬液注入システム。
９．  前記薬液が造影剤であることを特徴とする上記８記載の薬液注入システム。
さらに本願は、鍔の後面に、同心円状補強部と放射状補強部とを有する補強リブが設けられたシリンジ外筒を開示している。
【手続補正４】
【補正対象書類名】明細書
【補正対象項目名】００１０
【補正方法】変更
【補正の内容】
【００１０】
さらに本願は、二重の鍔を有するシリンジ外筒も開示している。
【手続補正５】
【補正対象書類名】明細書
【補正対象項目名】００１１
【補正方法】変更
【補正の内容】
【００１１】
さらに本願は、鍔の前面の付け根部分に肉厚部が設けられたシリンジ外筒も開示している。
【手続補正６】
【補正対象書類名】明細書
【補正対象項目名】００１２
【補正方法】変更
【補正の内容】
【００１２】
さらに本願は、鍔の前面に、テーパ状補強部が設けられたシリンジ外筒も開示している。